(57)【要約】      （修正有）【課題】部品点数や接着工数を増加することなく、ゴースト現象等の発生を低減可能なカメラを提供する。【解決手段】撮像素子５１と、シャッタ先幕、シャッタ後幕、該シャッタ先幕及び該シャッタ後幕を収納するとともに被写体光が通過する第１開口部３２Ａを備えた収納部３１、及び、前記シャッタ先幕と前記シャッタ後幕との間を仕切るとともに前記被写体光が通過する第２開口部３３Ａを備えた中間板３３を有するシャッタ部材３０と、を有するカメラであって、前記中間板３３の前記第２開口部３３Ａを画する内縁の少なくとも一部は、前記収納部３１の前記第１開口部３２Ａを画する内縁よりも内側に突出して配設されている。【選択図】図４
2010276791.tif 000002
【特許請求の範囲】
【請求項１】
撮像素子と、
シャッタ先幕、シャッタ後幕、該シャッタ先幕及び該シャッタ後幕を収納するとともに被写体光が通過する第１開口部を備えた収納部、及び、前記シャッタ先幕と前記シャッタ後幕との間を仕切るとともに前記被写体光が通過する第２開口部を備えた中間板を有するシャッタ部材と、を有するカメラであって、
前記中間板の前記第２開口部を画する内縁の少なくとも一部は、前記収納部の前記第１開口部を画する内縁よりも内側に突出して配設されていること、
を特徴とするカメラ。
【請求項２】
請求項１に記載のカメラであって、
前記中間板の前記第２開口部の面積は、前記撮像素子の有効画素範囲より広いこと、
を特徴とするカメラ。
【請求項３】
請求項２に記載のカメラであって、
前記中間板における前記第２開口部の前記内縁には、反射防止加工が施されていること、
を特徴とするカメラ。
【請求項４】
請求項３に記載のカメラであって、
前記反射防止加工は、前記内縁に施されたプレス加工であること、
を特徴とするカメラ。
【請求項５】
請求項１から４のいずれか１項に記載のカメラであって、
前記中間板の前記第２開口部は矩形であって、
前記中間板の前記内縁のうちの２短辺が、前記収納部の前記第１開口部の内縁よりも内側に突出して配設されていること、
を特徴とするカメラ。
【発明の詳細な説明】
【技術分野】
【０００１】
本発明は、シャッタ装置を備えるカメラに関するものである。
【背景技術】
【０００２】
従来、カメラにおいて、太陽のような強い点光源が画枠内、または画枠のすぐ外にあるような撮影シーンの場合、カメラのミラーボックス内の構造物、特にシャッタ装置の画枠端面で点光源の反射が発生し、いわゆるゴースト現象が発生する場合がある。このゴースト現象等の対策として、シャッタ装置に対して、シャッタ装置の開口部を狭めるために、薄いシート状部材を貼り付けているものがある（たとえば、特許文献１参照）。
【先行技術文献】
【特許文献】
【０００３】
【特許文献１】特開２００８−１５８３０４号公報
【発明の概要】
【発明が解決しようとする課題】
【０００４】
しかし、シート状部材をシャッタ装置に貼り付ける場合。部品点数や接着工数が増加する。
【０００５】
本発明の課題は、部品点数や接着工数を増加することなく、ゴースト現象等の発生を低減可能なカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮像素子（５１）と、シャッタ先幕（３４）、シャッタ後幕（３５）、該シャッタ先幕（３４）及び該シャッタ後幕（３５）を収納するとともに被写体光が通過する第１開口部（３２Ａ）を備えた収納部（３１）、及び、前記シャッタ先幕（３４）と前記シャッタ後幕（３５）との間を仕切るとともに前記被写体光が通過する第２開口部（３３Ａ）を備えた中間板（３３）を有するシャッタ部材（３０）と、を有するカメラ（１０）であって、前記中間板（３３）の前記第２開口部（３３Ａ）を画する内縁の少なくとも一部は、前記収納部（３１）の前記第１開口部（３２Ａ）を画する内縁よりも内側に突出して配設されていること、を特徴とするカメラ（１０）である。
請求項２に記載の発明は、請求項１に記載のカメラ（１０）であって、前記中間板（３３）の前記第２開口部（３３Ａ）の面積は、前記撮像素子（５１）の有効画素範囲より広いこと、を特徴とするカメラ（１０）である。
請求項３に記載の発明は、請求項２に記載のカメラ（１０）であって、前記中間板（３３）における前記第２開口部（３３Ａ）の前記内縁には、反射防止加工が施されていること、を特徴とするカメラ（１０）である。
請求項４に記載の発明は、請求項３に記載のカメラ（１０）であって、前記反射防止加工は、前記内縁に施されたプレス加工であること、を特徴とするカメラ（１０）である。
請求項５に記載の発明は、請求項１から４のいずれか１項に記載のカメラ（１０）であって、前記中間板（３３）の前記第２開口部（３３Ａ）は矩形であって、前記中間板の前記内縁のうちの２短辺が、前記収納部（３１）の前記第１開口部（３２Ａ）の内縁よりも内側に突出して配設されていること、を特徴とするカメラ（１０）である。
なお、符号を付して説明した構成は、適宜改良してもよく、また、少なくとも一部を他の構成物に代替してもよい。
【発明の効果】
【０００８】
本発明によれば、部品点数や接着工数を増加することなく、ゴースト現象等の発生を低減可能なカメラを提供することができる。
【図面の簡単な説明】
【０００９】
【図１】本発明の一実施形態であるカメラの構成を概念的に示す断面図である。
【図２】シャッタ装置の概念構成を示す分解斜視図である。
【図３】前面側から見たシャッタ装置の斜視図である。
【図４】ミラーボックスを含むシャッタ装置の断面図である。
【図５】図４におけるＡ部拡大図である。
【図６】図５におけるＢ部拡大図である。
【発明を実施するための形態】
【００１０】
以下、図面等を参照して、本発明の実施形態について説明する。
図１は、本発明の一実施形態であるカメラ１０の構成を概念的に示す断面図である。
なお、図１および以下に示す各図には、説明と理解を容易にするために、直交座標系を設けた。この座標系では、撮影者が光軸Ａを水平として横長の画像を撮影する場合のカメラ１０の位置（以下、正位置という）において撮影者から見て左側に向かう方向をＸプラス方向、正位置において上側に向かう方向をＹプラス方向、正位置において被写体に向かう方向をＺプラス方向とする。また、カメラ１０における被写体側を正面側、撮影者側を背面側と称する。
【００１１】
カメラ１０は、図１に示すように、カメラ本体１１と、撮像レンズ１２と、によって構成された一眼レフのデジタルカメラである。
撮像レンズ１２は、撮影光学系を構成する複数のレンズ群１２Ｌを備えており、被写体光を集光してカメラ本体１１側に出射する。撮像レンズ１２は、カメラ本体１１の被写体側（図１における左側）に、光軸ＯＡを一致させて着脱可能に装着されるようになっている。これにより、カメラ１０は、用途に応じて異なる撮像レンズ１２を交換して撮影することができるようになっている。
【００１２】
カメラ本体１１は、ミラーユニット部２０、シャッタ装置３０、ファインダ部４０、撮像部５０および表示装置６０等を備えて構成されている。また、カメラ本体１１は、図示しないが、撮影を指令するレリーズスイッチ等を有する操作部を備えている。
ミラーユニット部２０は、ミラーボックス２１の内部にミラー２２を有している。
ミラー２２は、撮像レンズ１２と撮像部５０との間に、背面側の端部でＸ軸と平行な支持軸を中心として揺動可能に設けられている。そして、図１中実線で示すように被写体光の光路内に位置する作用位置と、図１中二点鎖線で示すように光路内から退避した退避位置との間で揺動する。ミラー２２は、撮影待機時には作用位置にあって撮像レンズ１２から撮像部５０に至る被写体光を反射屈曲させて、ミラーユニット部２０の上側に設けられたファインダ部４０向けて導く。また、ミラー２２は、撮影時にはレリーズ操作に応じて揺動し、撮像部５０に至る被写体光を遮らない退避位置に移動する。
【００１３】
シャッタ装置３０は、レリーズ操作に応じて開閉し、撮像部５０における後述する撮像素子５１に被写体像光を入射させる（露光させる）と共にその露光時間を制御する。このシャッタ装置３０の構成については、後に詳述する。
【００１４】
ファインダ部４０は、ファインダスクリーン４１、ペンタダハプリズム４２及び接眼光学系４３を備えて構成されている。
ファインダスクリーン４１は、ミラー２２により反射された被写体像を結像させるスクリーンであり、ミラー２２とペンタダハプリズム４２との間に配置されている。
【００１５】
ペンタダハプリズム４２は、断面形状が五角形のプリズムであって、カメラ本体１０を横位置に構えた状態の上部に配設されている。ペンタダハプリズム４２は、ファインダスクリーン４１に結像した被写体像を反射によって正立像として接眼光学系４３へと導く。
接眼光学系４３は、ペンタダハプリズム４２により正立像となった被写体像を、拡大観察するための光学系であり、ペンタダハプリズム４２の背面側（撮影者側）に配置されている。
【００１６】
撮像部５０は、撮像素子５１と、図示しないローパスフィルタ等を有している。
撮像素子５１は、たとえばＣＣＤ等の光電素子であり、撮影光学系によって結像された被写体像光を電気信号に変換する。撮像素子５１は、カメラ本体１０の内側の背面側（図１に示す右側）に、受光面を光軸ＯＡに対して直交させて設けられている。
なお、図示しないローパスフィルタは、被写体から高周波成分を取り除いて被写体像の干渉縞（モアレ）の発生を防止するための水晶複屈折板であり、撮像素子５１の前面に配設されている。
【００１７】
表示装置６０は、カメラ本体１０の外側の背面側（撮影者側）に設けられた液晶等の表示パネルを有している。表示装置６０は、表示パネルに撮影画像や、露光時間等の撮影に関する情報等を表示する。
【００１８】
そして、カメラ１０は、図示しないレリーズスイッチが操作されると、ミラー２２が退避位置に移動すると共にシャッタ装置３０が開閉し、撮像部５０の撮像素子５１に被写体像光を所定時間露光させる。撮像部５０の撮像素子５１は被写体像光を電気信号に変換し、その画像データは図示しない記録部に記録され、これによって撮影が行われる。
【００１９】
つぎに、本発明の主要部分であるシャッタ装置３０について、図２〜図６を参照して詳細に説明する。
図２は、シャッタ装置３０の概念構成を示す分解斜視図である。図３は、前面側から見たシャッタ装置３０の斜視図である。図４は、ミラーボックスを含むシャッタ装置３０の断面図である。図５は、図４におけるＡ部拡大図である。図６は、図５におけるＢ部拡大図である。
シャッタ装置３０は、図２に示すように、シャッターフレーム３１の内部に、中間板３３と、先幕３４および後幕３５を備えて構成されている。
【００２０】
シャッターフレーム３１は、シャッタ基板３１Ａと、その背面側に所定間隔離間して設けられたカバー板３１Ｂとを備え、矩形の板状の外形形状を呈している。その中央部には、被写体光が通過する開口部３２が形成されている。開口部３２は、撮像部５０における撮像素子５１による撮像領域と対応する所定縦横比率の矩形に形成されている。
【００２１】
シャッタ基板３１Ａとカバー板３１Ｂとは、それぞれ所定厚さの板状の合成樹脂または金属材料によって矩形に形成されており、それぞれの中央部には、開口部３２を構成する前面開口部３２Ａ，背面開口部３２Ｂが形成されている。
カバー板３１Ｂにおける背面開口部３２Ｂは、図４および図に示すように、シャッタ基板３１Ａにおける前面開口部３２Ａに対して相似形で、所定量小さく形成されている。
【００２２】
シャッタ基板３１Ａにおける前面開口部３２Ａおよびカバー板３１Ｂにおける背面開口部３２Ｂの開口縁部は、図４に示すように、それぞれ前面側に広がる方向の傾斜面となっている。これにより、前面開口部３２Ａおよび背面開口部３２Ｂの開口縁部の端縁で反射した光が迷光として撮像部５０に入射し難くなっている。
【００２３】
中間板３３は、所定の厚さの合成樹脂または金属等の板部材（たとえば厚さ０．１ｍｍのＰＥＴ樹脂シート）によって、シャッターフレーム３１と対応する矩形に形成されている。中間板３３の中央には、開口部３２と対応する矩形の中間開口部３３Ａが形成されている。
中間開口部３３Ａは、シャッタ基板３１Ａにおける前面開口部３２Ａと相似形に形成され、前面開口部３２Ａより小さなカバー板３１Ｂにおける背面開口部３２Ｂよりもさらに所定量小さく設定されている。但し、中間開口部３３Ａは、図４に示すように、撮像部５０における撮像素子５１の有効画素範囲よりは、広く設定されている。
また、その中間開口部３３Ａの開口縁は、薄いエッジ状に形成されている。これについては、後に詳述する。
【００２４】
中間板３３は、シャッターフレーム３１の内部空間を前後に二分するように配置されている。この中間板３３によって二分された空間３１Ｆ，３１Ｒのうちの前面側の空間３１Ｆに先幕３４が配設され、背面側の空間３１Ｒに後幕３５が配置されている。これにより、先幕３４と後幕３５とは、中間板３３によって互いに接触することなく開閉移動することができるようになっている。
【００２５】
先幕３４および後幕３５は、それぞれ複数枚（本実施形態では４枚）のシャッタ羽根３４Ｂ，３５Ｂを有している。
シャッタ羽根３４Ｂ，３５Ｂは、黒色で、たとえば、厚さ０．１ｍｍの合成樹脂または金属材料で矩形状に形成されている。各シャッタ羽根３４Ｂ，３５Ｂは、アーム３４Ａ，３５Ａを介してシャッターフレーム３１に支持されており、図示しない駆動手段によるアーム３４Ａ，３５Ａの揺動操作によって、開口部３２を開閉し得るようになっている。
【００２６】
上記のように構成されたシャッタ装置３０は、先幕３４は、撮影待機中は図２に示すようなシャッタ羽根３４Ｂが展開した状態で開口部３２を閉鎖（遮光）し、露光時においては、展開して閉鎖状態にあるシャッタ羽根３４ＢがＹ軸マイナス方向に重合してシャッターフレーム３１の下部に形成された先幕室３１Ｄに収容されることで開口部３２を開放する。後幕３５は、シャッタ羽根３５Ｂが開口部３２の上側の後幕室３１Ｅに重合して収容されて開口部３２を開放した状態から、先幕３４の下降重合と所定のタイミングで下降展開して開口部３２を閉鎖する。シャッタ装置３０は、このように、開放する先幕３４と閉鎖する後幕３５の間の隙間の移動で露光を行うように構成されている。
【００２７】
なお、図３〜図５は、先幕３４が開口部３２の下側の先幕室３１Ｄに収容されると共に、後幕３５が開口部３２の上側の後幕室３１Ｅに収容されて開口部３２が開放した（シャッタが開いた）状態を示しており、先幕３４および後幕３５は省略してある。
【００２８】
ここで、前述したように、中間板３３における中間開口部３３Ａは、シャッタ基板３１Ａにおける前面開口部３２Ａより小さいカバー板３１Ｂにおける背面開口部３２Ｂよりも、さらに所定量小さく設定されている。
つまり、図５に示すように、中間板３３における中間開口部３３Ａの周縁部３３Ｂは、シャッタ基板３１Ａにおける前面開口部３２Ａの内周縁３２Ａａより内側に突出している。これにより、図５中に矢印で示すように、中間板３３における中間開口部３３Ａの周縁部３３Ｄが、前面開口部３２Ａの内周縁３２Ａａで反射された光Ｌの反射光Ｌｒの撮像部５０（撮像素子５１）側への入射を遮断する。
また、中間板３３における中間開口部３３Ａの周縁部３３Ｂは、カバー板３１Ｂにおける背面開口部３２Ｂの内周縁３２Ｂａへの光の入射を遮断する。このため、背面開口部３２Ｂの内周縁３２Ｂａによる反射光が撮像部５０側に入射することはない。
【００２９】
さらに、図６に示すように、中間板３３における中間開口部３３Ａの周縁部３３Ｂは、反射防止加工として、中間板３３の本体部より薄く（たとえば０．０５ｍｍ）形成され、且つ、その内周端縁３３Ｃは前面側に広がる方向に所定の角度の傾斜面に形成されている。これにより、内周端縁３３Ｃによる反射光を極めて少なくすることができると共に、図６中矢印で示すように、前面側から中間開口部３３Ａの内周縁部３３Ｂを照射した光Ｌは乱反射によって主に前面側を中心として広い範囲に散乱（散乱光Ｌｓ）することとなり、撮像部５０（撮像素子５１）側への迷光の入射を極めて少なく抑えることができる。
【００３０】
以上、本実施形態によると、以下の効果を有する。
（１）中間板３３における中間開口部３３Ａは、シャッタ基板３１Ａにおける前面開口部３２Ａに対して相似形で小さく形成され、中間開口部３３Ａの周縁部３３Ｂが、前面開口部３２Ａの内周縁３２Ａａより内側に突出している。これにより、中間開口部３３Ａの周縁部３３Ｂが、前面開口部３２Ａの内周縁３２Ａａによって反射された光の撮像部５０側への入射を遮断する。その結果、前面開口部３２Ａの内周縁３２Ａａによる反射光が撮像部５０（撮像素子５１）に入射してしまうことによって生ずるゴースト現象等の発生を低減することができる。
【００３１】
（２）中間板３３における中間開口部３３Ａは、カバー板３１Ｂにおける背面開口部３２Ｂに対して相似形で小さく形成され、中間開口部３３Ａの周縁部３３Ｂが、背面開口部３２Ｂの内周縁３２Ｂａより内側に突出している。これにより、中間開口部３３Ａの周縁部３３Ｂが、カバー板３１Ｂにおける背面開口部３２Ｂの内周縁３２Ｂａへの光の入射を遮断する。その結果、背面開口部３２Ｂの内周縁３２Ｂａによる反射光が撮像部５０（撮像素子５１）に入射することによって生ずるゴースト現象等の発生を低減することができる。
【００３２】
（３）中間板３３における中間開口部３３Ａの内周縁部３３Ｂは、中間板３３の本体部より薄く形成され、且つ、その内周端縁３３Ｃは前面側に広がる方向に所定の角度の傾斜面に形成されている。これにより、内周端縁３３Ｃによる反射光を極めて少なくすることができると共に、中間開口部３３Ａの内周端縁３３Ｃを照射した光は乱反射されて広い範囲に散乱することとなり、撮像部５０（撮像素子５１）側への迷光の入射を極めて少なく抑えることができる。その結果、中間開口部３３Ａの内周端縁３３Ｃによる反射光が撮像部５０（撮像素子５１）に入射することによって生ずるゴースト現象等の発生を低減することができる。
【００３３】
（４）中間板３３は既存の部材であるため、遮光のために部品点数および組立工数が増加することはなく、製造費用がアップすることがない。
【００３４】
（変形形態）
以上、説明した実施形態に限定されることなく、以下に示すような種々の変形や変更が可能であり、それらも本発明の範囲内である。
（１）本実施形態では、中間板３３における中間開口部３３Ａは、シャッタ基板３１Ａにおける前面開口部３２Ａに対して相似形で小さく形成されている。しかし、中間開口部３３Ａは、その周縁部３３Ｂが前面開口部３２Ａの内周縁３２Ａａより内側に突出していればよく、必ずしも前面開口部３２Ａに対して相似形である必要はない。また、中間開口部３３Ａの内周縁が、全周において前面開口部３２Ａの内周縁より内側に突出せず、任意の辺のみが突出している構成としてもよい。
【００３５】
（２）本実施形態では、中間板３３における中間開口部３３Ａの周縁部３３Ｂが本体部より薄く形成され、しかし、周縁部３３Ｂの厚さを薄くせず、内周端縁３３Ｃを前面側に広がる方向の傾斜面とする（鋭角のエッジ状とする）のみの形状としてもよい。
【００３６】
（３）本実施形態の構成に加えて、中間板３３における中間開口部３３Ａの内周端縁３３Ｃに、たとえば、微少な凹凸を形成するさらなる反射防止加工や、植毛加工等を施してもよい。これによってより一層の迷光防止効果が得られる。
なお、実施形態及び変形形態は、適宜組み合わせて用いることもできるが、詳細な説明は省略する。また、本発明は以上説明した実施形態によって限定されることはない。
【符号の説明】
【００３７】
１０：カメラ、３０：シャッタ装置、３１：シャッターフレーム、３２Ａ：前面開口部、３２Ａａ：内周縁、３３：中間板、３３Ａ：中間開口部、３３Ｃ；内周端縁、３４：先幕、３５：後幕、５１：撮像素子
【図１】
2010276791.tif 000003
【図２】
2010276791.tif 000004
【図３】
2010276791.tif 000005
【図４】
2010276791.tif 000006
【図５】
2010276791.tif 000007
【図６】
2010276791.tif 000008